(57)【要約】【課題】従来のものでは、外部からの電力供給が停止し、蓄電部に蓄電されている電力で発光部を発光させる場合に、蓄電部の電力を昇圧回路部で昇圧しているが、蓄電部の電圧が所定の電圧以下に低下すると、昇圧回路部は電力を出力できなくなり発光部が消灯する。【解決手段】昇圧回路部として、主昇圧回路部と副昇圧回路部との２個の昇圧回路部を備え、上記発光部を主昇圧回路部の出力電力で発光させるように接続し、蓄電部の電力を直接主昇圧回路部に入力する第１系統と、副昇圧回路部に入力し、副昇圧回路の出力電力を主昇圧回路に入力する第２系統とのいずれかに切り替える切替部と、蓄電部の電圧を検知し、蓄電部の電圧が所定の電圧より高い状態では上記切替部を第１系統に切り替え、蓄電部の電圧が所定の電圧より低下すると切替部を第２系統に切り替える切替制御部を設けた。【選択図】  図１
2016091844.tif 000002
【特許請求の範囲】
【請求項１】
外部から供給される電力により発光部を発光させると共に、その外部から供給される電力を蓄電する蓄電部を備え、外部からの電力の供給が停止した際に、蓄電部に蓄電されている電力を昇圧回路部によって電圧を昇圧して上記発光部を発光させる照明器具において、上記昇圧回路部として、主昇圧回路部と副昇圧回路部との２個の昇圧回路部を備え、上記発光部を主昇圧回路部の出力電力で発光させるように接続し、蓄電部の電力を直接主昇圧回路部に入力する第１系統と、副昇圧回路部に入力し、副昇圧回路の出力電力を主昇圧回路に入力する第２系統とのいずれか一方の系統に択一的に切り替える切替部と、蓄電部の電圧を検知し、蓄電部の電圧が所定の電圧より高い状態では上記切替部を第１系統に切り替え、蓄電部の電圧が所定の電圧より低下すると切替部を第２系統に切り替える切替制御部を設けたことを特徴とする照明装置。
【請求項２】
上記蓄電部は電気二重層コンデンサに蓄電するものであることを特徴とする請求項１に記載の照明器具。
【発明の詳細な説明】
【技術分野】
【０００１】
本発明は、内部に蓄電部を備え、停電時にこの蓄電部に蓄電されている電力で発光部を発光させる照明装置に関する。
【背景技術】
【０００２】
従来のこの種の照明器具として、外部の電源から電力の供給を受け、その外部からの電力によってＬＥＤからなる発光部を発光させるようにしたものが知られている（例えば、特許文献１参照）。このものでは、外部から直流電力が供給されるが、その直流電力の電圧は発光部を発光させるために必要な電圧より低電圧であるため、昇圧回路部で電圧を昇圧してから発光部を発光させている。
【０００３】
また、電気二重層コンデンサからなる蓄電部を備えており、外部から電力が供給されている状態で、この蓄電部に電力を蓄電しておき、外部からの電力の供給が停止すると、蓄電部に蓄電されている電力で発光部を発光させるように構成されている。なお、蓄電部の電圧も外部からの電力の電圧と同じく低電圧であるため、蓄電部の電力の電圧を上記昇圧回路部で昇圧して発光部を発光させるように構成されている。
【先行技術文献】
【特許文献】
【０００４】
【特許文献１】特開２００７−２６７４６９号公報（［００２４］、図１）
【発明の概要】
【発明が解決しようとする課題】
【０００５】
上記従来のものでは、外部からの電力供給が停止し、蓄電部に蓄電されている電力で発光部を発光させる場合に、蓄電部の電力を昇圧回路部で昇圧しているが、昇圧回路部の入力電圧、すなわち蓄電部の電圧が所定の電圧以下に低下すると、昇圧回路部は電力を出力できなくなり、従って発光部を発光させることができなくなる。ただし、その時点でも蓄電部に蓄電されている電力は完全にゼロになっているわけでは無く、ある程度の電力が残存している。
【０００６】
この残存している電力を有効に利用するためには、昇圧回路部を２個直列に設け、１段目の昇圧回路部の出力電圧を最終的に必要とする電圧より低く設定することにより、入力電圧の限界値を低くし、その１段目の昇圧回路部で出力された中間電圧の電力を２段目の昇圧回路部で必要とする電圧まで昇圧することも考えられる。しかしながら、このように２個の昇圧回路部を直列に接続すると、各昇圧回路部での損失により、やはり蓄電部に蓄電されている電力を効率よく利用することができない。
【０００７】
そこで本発明は、上記の問題点に鑑み、停電時に蓄電部に蓄電されている電力を効率よく利用して発光部を発光させることのできる照明装置を提供することを課題とする。
【課題を解決するための手段】
【０００８】
上記課題を解決するために本発明による照明装置は、外部から供給される電力により発光部を発光させると共に、その外部から供給される電力を蓄電する蓄電部を備え、外部からの電力の供給が停止した際に、蓄電部に蓄電されている電力を昇圧回路部によって電圧を昇圧して上記発光部を発光させる照明器具において、上記昇圧回路部として、主昇圧回路部と副昇圧回路部との２個の昇圧回路部を備え、上記発光部を主昇圧回路部の出力電力で発光させるように接続し、蓄電部の電力を直接主昇圧回路部に入力する第１系統と、副昇圧回路部に入力し、副昇圧回路の出力電力を主昇圧回路に入力する第２系統とのいずれか一方の系統に択一的に切り替える切替部と、蓄電部の電圧を検知し、蓄電部の電圧が所定の電圧より高い状態では上記切替部を第１系統に切り替え、蓄電部の電圧が所定の電圧より低下すると切替部を第２系統に切り替える切替制御部を設けたことを特徴とする。
【０００９】
蓄電部の電圧が所定の電圧より高い状態では主昇圧回路部のみで昇圧することにより昇圧時の損失を最小限に抑え、蓄電部の電圧が所定の電圧より低下した場合には副昇圧回路部によって昇圧することにより蓄電部の電力の残存量を少なくする。
【００１０】
なお、上記蓄電部は電気二重層コンデンサに蓄電するものであると、蓄電されている電力の消費に伴って電圧が低下しやすいので、上記構成は有効である。
【発明の効果】
【００１１】
以上の説明から明らかなように、本発明は、蓄電部の電圧が所定の電圧より高い状態では主昇圧回路部のみで昇圧することにより昇圧時の損失を最小限に抑え、蓄電部の電圧が所定の電圧より低下した場合には副昇圧回路部によって昇圧することにより蓄電部の電力の残存量を少なくするので、蓄電部に蓄電されている電力を効率よく利用して発光部を発光させることができる。
【図面の簡単な説明】
【００１２】
【図１】本発明による照明器具の構成を示すブロック図
【発明を実施するための形態】
【００１３】
図１を参照して、１は充電回路部で有り、図外の商用電源から交流電力の供給を受け、所定の電圧（例えば５ボルト）の直流電力に整流して出力する。その出力された直流電力は切替部２を経て主昇圧回路部３に入力される。この主昇圧回路部３にはＬＥＤからなる発光部４が接続されており、主昇圧回路部３は入力された直流電力の電圧を、発光部４を発光させるのに必要な電圧（例えば１２ボルト）に昇圧して発光部４に供給し、発光部４を発光させる。
【００１４】
上記充電回路部１から出力された直流電力は、上述のように切替部２を経て主昇圧回路部３に入力されているが、一部は蓄電部５に流れ、蓄電部５に蓄電される。この蓄電部５は２次電池を用いてもよいが、本実施の形態では電気二重層コンデンサを内蔵させ、その電気二重層コンデンサに電力を蓄電するようにした。
【００１５】
この蓄電部５の電圧は切替制御部６が検知するように構成されている。また、この切替制御部６は上記切替部２を制御して、上記充電回路部１から出力された直流電力を直接主昇圧回路部３に流す第１系統と、副昇圧回路部７に流す第２系統との２つの系統の内の１つに択一的に切り替える。
【００１６】
上記主昇圧回路部３は通常時には５ボルトの直流電力が入力され、発光部４を発光させるのに必要な、例えば１２ボルトに昇圧するものである。この主昇圧回路部３は入力電圧が５ボルトより低くなっても出力電圧を１２ボルトに一定に保つが、入力電圧が３ボルトまで低下すると昇圧することができなくなり、出力を停止する。これに対して副昇圧回路部７は出力電圧は５ボルトであるが、入力電圧が１ボルトまで低下するまで出力電圧を５ボルトに保持し続けることができるように設定した。
【００１７】
上記構成で、外部からの商用電源からの電力供給が継続している状態では、切替制御部６には５ボルトが入力されており、その状態では切替制御部６は切替部２を第１系統側に保持し、充電回路部１から出力される電力を直接主昇圧回路部３に流して発光部４を発光させる。
【００１８】
停電が生じ充電回路部１に外部からの電力供給が停止すると、充電回路部１から電力が出力されなくなるが、その時点では既に蓄電部５に電力が蓄電されており、切替制御部６には継続して５ボルトが入力されるので、切替制御部６は切替部２を第１系統のまま保持する。
【００１９】
その結果、蓄電部５に蓄電されている電力で発光部４は発光し続けるが、蓄電部５に蓄電されている電力は消費され続け、蓄電部５の電圧は低下していく。蓄電部５の電圧が３ボルトまで低下すると、主昇圧回路部３は発光部４を発光させることができなくなるので、切替制御部６は入力される電圧が３ボルトまで低下すると、切替部２を第２系統に切り替え、３ボルトまで低下した蓄電部５の電力を副昇圧回路部７に流すようにした。
【００２０】
副昇圧回路部７は上述のように１ボルト以上の電力が入力されれば５ボルトに昇圧して出力する。そしてその出力された５ボルトの電力は主昇圧回路部３に入力されるので、発光部４はさらに継続して発光し続けることになる。そして、蓄電部５の電圧が１ボルトまで低下するまで発光部４の発光が継続する。
【００２１】
なお、本発明は上記した形態に限定されるものではなく、本発明の要旨を逸脱しない範囲内において種々の変更を加えてもかまわない。
【符号の説明】
【００２２】
１ 充電回路部
２ 切替部
３ 主昇圧回路部
４ 発光部
５ 蓄電部
６ 切替制御部
７ 副昇圧回路部
【図１】
2016091844.tif 000003